(57)【要約】  ゴルフクラブヘッド及びゴルフクラブヘッド製造方法の実施形態は、概して本明細書に記載されている。一例では、ゴルフクラブヘッドは、トウ部と、ヒール部と、リア部と、打撃面を持つフロント部と、ソール部と、複数のウェイトポートを持つトップ部とを有するボディ部を備えてもよい。前記ボディ部は、ゴルフクラブヘッドの周囲を画定してもよい。ゴルフクラブヘッドはまた、前記複数のウェイトポートの各ウェイトポートに各々が配置される複数のウェイト部を備えてもよい。他の実施例及び実施形態は、明細書で説明され、特許請求の範囲に記載される。【選択図】図１６
2017511212.tif 000002
【特許請求の範囲】
【請求項１】
トウ部と、ヒール部と、リア部と、打撃面を持つフロント部と、ソール部と、複数のウェイトポートを持つトップ部とを有するボディ部であり、ゴルフクラブヘッドの周囲を画定する、前記ボディ部と、
前記複数のウェイトポートの各ウェイトポートに各々が配置される複数のウェイト部と、
前記打撃面でゴルフボールを打つ視覚的ガイドを提供するために前記フロント部と前記リア部との間に設けられた視覚的ガイド部であり、前記トウ部又はその近傍の前記周囲から０．５インチ（１２．７ｍｍ）未満に配置された前記複数のウェイトポートのうちの第１セットのウェイトポートで形成された第１のガイド部と、前記ヒール部又はその近傍の前記周囲から０．５インチ（１２．７ｍｍ）未満に配置された前記複数のウェイトポートのうちの第２セットのウェイトポートで形成された第２のガイド部とを含む、前記視覚的ガイド部と、
を備えたゴルフクラブヘッドであって、
前記複数のウェイトポートの各ウェイトポートは、ポート直径と関連しており、
前記複数のウェイトポートのうちの隣接するいずれか２つのウェイトポートは、前記ポート直径以下の間隔で離されており、
バックウォール部が、前記複数のウェイトポートの少なくとも１つのウェイトポートを有することを特徴とするゴルフクラブヘッド。
【請求項２】
請求項１に記載のゴルフクラブヘッドにおいて、
前記バックウォール部は、前記複数のウェイトポートのうちの第３セットのウェイトポートと、前記複数のウェイトポートのうちの第４セットのウェイトポートとを有し、前記第３セットのウェイトポート及び前記第４セットのウェイトポートは、前記トップ部と前記ソール部との間に設けられ、前記第３セットのウェイトポートの各ウェイトポートは、前記ヒール部と前記トウ部との間に設けられ、前記第４セットのウェイトポートの各ウェイトポートは、前記ヒール部と前記トウ部との間に設けられることを特徴とするゴルフクラブヘッド。
【請求項３】
請求項１に記載のゴルフクラブヘッドにおいて、
前記間隔は、前記ポート直径の５０％未満の間隔を有することを特徴とするゴルフクラブヘッド。
【請求項４】
請求項１に記載のゴルフクラブヘッドにおいて、
前記第１及び第２のガイド部の各々は、前記フロント部と前記リア部との間の最大長の５０％未満の長さを有することを特徴とするゴルフクラブヘッド。
【請求項５】
請求項１に記載のゴルフクラブヘッドにおいて、
前記第１及び第２のガイド部は、１．６８インチ（４２．６７ｍｍ）より大きく４．２５インチ（１０７．９５ｍｍ）以下の間隔で離されていることを特徴とするゴルフクラブヘッド。
【請求項６】
請求項１に記載のゴルフクラブヘッドにおいて、
前記視覚的ガイド部は、前記フロント部と前記リア部との間に設けられた第３のガイド部を有し、前記第３のガイド部は、前記第１及び前記第２のガイド部から実質的に等距離に配置された前記複数のウェイトポートのうちの第３セットのウェイトポートで形成されていることを特徴とするゴルフクラブヘッド。
【請求項７】
請求項１に記載のゴルフクラブヘッドにおいて、
前記視覚的ガイド部は、色付き線部、凸状線部、凹状線部、レーザエッチング線部、実線部、破線部、点線部、又は前記複数のウェイトポートのうちの２以上のウェイトポートの少なくとも１つを有することを特徴とするゴルフクラブヘッド。
【請求項８】
請求項１に記載のゴルフクラブヘッドにおいて、
前記ボディ部は、第１の材料で作製されると共に、前記複数のウェイト部は、第２の材料で作製され、前記第１及び第２の材料は、互いに異なることを特徴とするゴルフクラブヘッド。
【請求項９】
トウ部と、ヒール部と、複数のウェイトポートを有するバックウォール部を持つバック部と、打撃面を持つフロント部と、トップ部と、ソール部とを有するボディ部であり、ゴルフクラブヘッドの周囲を画定する、前記ボディ部と、
前記複数のウェイトポートの各ウェイトポートに各々が配置される複数のウェイト部と、
前記打撃面でゴルフボールを打つ視覚的ガイドを提供するために前記フロント部と前記バック部との間に設けられた視覚的ガイド部であり、前記トウ部の近傍に配置された第１のガイド部と、前記ヒール部の近傍に配置された、前記第１のガイド部と実質的に平行な第２のガイド部とを含む、前記視覚的ガイド部と、
を備えたことを特徴とするパター型ゴルフクラブヘッド。
【請求項１０】
請求項９に記載のパター型ゴルフクラブヘッドにおいて、
前記視覚的ガイド部は、色付き線部、凸状線部、凹状線部、レーザエッチング線部、実線部、破線部、又は点線部の少なくとも１つを有することを特徴とするパター型ゴルフクラブヘッド。
【請求項１１】
請求項９に記載のパター型ゴルフクラブヘッドにおいて、
前記第１のガイド部は、前記周囲から０．５インチ（１２．７ｍｍ）未満に配置されると共に、前記第２のガイド部は、前記周囲から０．５インチ（１２．７ｍｍ）未満に配置されることを特徴とするパター型ゴルフクラブヘッド
【請求項１２】
請求項９に記載のパター型ゴルフクラブヘッドにおいて、
前記視覚的ガイド部は、少なくとも０．５インチ（１２．７ｍｍ）の長さを有することを特徴とするパター型ゴルフクラブヘッド。
【請求項１３】
請求項９に記載のパター型ゴルフクラブヘッドにおいて、
前記第１及び第２のガイド部は、１．６８インチ（４２．６７ｍｍ）より大きく４．２５インチ（１０７．９５ｍｍ）以下の間隔で離されていることを特徴とするパター型ゴルフクラブヘッド。
【請求項１４】
請求項９に記載のパター型ゴルフクラブヘッドにおいて、
前記バックウォール部は、前記複数のウェイトポートのうちの第１セットのウェイトポートと、前記複数のウェイトポートのうちの第２セットのウェイトポートとを有し、前記第１セットのウェイトポート及び前記第２セットのウェイトポートは、前記トップ部と前記ソール部との間に設けられ、前記第１セットのウェイトポートの各ウェイトポートは、前記ヒール部と前記トウ部との間に設けられ、前記第２セットのウェイトポートの各ウェイトポートは、前記ヒール部と前記トウ部との間に設けられることを特徴とするパター型ゴルフクラブヘッド。
【請求項１５】
請求項９に記載のパター型ゴルフクラブヘッドにおいて、
前記視覚的ガイド部は、前記第１及び第２のガイド部と実質的に平行な第３のガイド部を有することを特徴とするパター型ゴルフクラブヘッド。
【請求項１６】
第１のエンド部と、第２のエンド部と、トップ部と、ソール部と、打撃面を持つフロント部と、各々がウェイト部を受けるよう構成された複数のウェイトポートを有するバックウォール部を持つバック部とを有するボディ部であり、前記第１のエンド部は、第１の垂直面に接する第１の端部を有し、前記第２のエンド部は、前記第１の垂直面と実質的に平行な第２の垂直面に接する第２の端部を有する、前記ボディ部と、
前記打撃面でゴルフボールを打つ視覚的ガイドを提供するために前記フロント部と前記バック部との間に設けられた少なくとも２つのガイド部であり、前記第１の垂直面から０．５インチ（１２．７ｍｍ）未満にある第１のガイド部と、前記第２の垂直面から０．５インチ（１２．７ｍｍ）未満にある第２のガイド部とを含む、前記少なくとも２つのガイド部と、
を備えたパター型ゴルフクラブヘッドであって、
前記第１及び第２の垂直面は、接地面に対して実質的に垂直であることを特徴とするパター型ゴルフクラブヘッド。
【請求項１７】
請求項１６に記載のパター型ゴルフクラブヘッドにおいて、
前記バックウォール部は、前記複数のウェイトポートのうちの少なくとも１セットのウェイトポートを有し、前記複数のウェイトポートのうちの隣接するいずれか２つのウェイトポートは、前記ポート直径以下の間隔で離されていることを特徴とするパター型ゴルフクラブヘッド。
【請求項１８】
請求項１６に記載のパター型ゴルフクラブヘッドにおいて、
前記少なくとも２つのガイド部は、色付き線部、凸状線部、凹状線部、レーザエッチング線部、実線部、破線部、点線部、又は前記複数のウェイトポートのうちの２以上のウェイトポートの少なくとも１つを有することを特徴とするパター型ゴルフクラブヘッド。
【請求項１９】
請求項１６に記載のパター型ゴルフクラブヘッドにおいて、
前記第１及び第２のガイド部は、１．６８インチ（４２．６７ｍｍ）より大きく４．２５インチ（１０７．９５ｍｍ）以下の間隔で離されていることを特徴とするパター型ゴルフクラブヘッド。
【請求項２０】
請求項１６に記載のパター型ゴルフクラブヘッドにおいて、
前記バックウォール部は、前記複数のウェイトポートのうちの第１セットのウェイトポートと、前記複数のウェイトポートのうちの第２セットのウェイトポートとを有し、前記第１及び第２のガイド部の各々は、前記複数のウェイトポートのうちの２以上のウェイトポートを有することを特徴とするパター型ゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、2014年4月28日に出願された米国仮出願第61/985,351号、2014年5月13日に出願された米国仮出願第61/992,379号、2014年6月20日に出願された米国仮出願第62/015,297号、2014年7月30日に出願された米国仮出願第62/030,820号、及び、2014年10月2日に出願された米国仮出願第62/059,108号の利益を主張する。本出願は、2014年8月25日に出願された米国仮出願第62/041,553号の利益を主張する、2014年12月30日に出願された米国出第願14/586,720号の一部継続出願である。本出願はまた、2014年8月29日に出願された米国出願第29/501,012号の継続出願である、2014年11月20日に出願された米国出願第29/509,762号の一部継続出願である。本出願はまた、2014年8月29日に出願された米国出願第29/501,012号の分割出願である、2014年12月11日に出願された米国出願第29/511,483号の一部継続出願である。本出願はまた、2014年9月30日に出願された米国出願第29/503,812号の分割出願である、2015年2月26日に出願された米国出願第29/518,697号の一部継続出願である。参照出願の開示は、参照により本明細書に組み込まれる。
【０００３】
［技術分野］
本開示は、一般にゴルフ用品に関し、より具体的には、ゴルフクラブヘッド及びゴルフクラブヘッド製造方法に関する。
【背景技術】
【０００４】
ゴルフボールに対するアドレスポジションにおけるゴルフクラブヘッドの適切なアライメントは、各人の成績を向上させることができる。種々のアライメント補助具が、各人の視覚的なアライメントを向上させるために、ゴルフクラブに使用されてきた。
【図面の簡単な説明】
【０００５】
【図１】図１は、本明細書に記載の器具、方法、及び製造物の一実施形態に関するゴルフクラブヘッドの正面斜視図である。
【０００６】
【図２】図２は、図１に例示したゴルフクラブヘッドの背面斜視図である。
【０００７】
【図３】図３は、図１に例示したゴルフクラブヘッドの正面図である。
【０００８】
【図４】図４は、図１に例示したゴルフクラブヘッドの背面図である。
【０００９】
【図５】図５は、図１に例示したゴルフクラブヘッドの平面図である。
【００１０】
【図６】図６は、図１に例示したゴルフクラブヘッドの底面図である。
【００１１】
【図７】図７は、図１に例示したゴルフクラブヘッドの左側面図である。
【００１２】
【図８】図８は、図１に例示したゴルフクラブヘッドの右側面図である。
【００１３】
【図９】図９は、図１に例示したゴルフクラブヘッドにおける例示的なトウ部の分解図である。
【００１４】
【図１０】図１０は、図１に例示したゴルフクラブヘッドにおける例示的な視覚的ガイド部の分解図である。
【００１５】
【図１１】図１１は、図１に例示したゴルフクラブヘッドに対する例示的なゴルフホールを示す図である。
【００１６】
【図１２】図１２は、本明細書に記載の器具、方法、及び製造物の別の実施形態に関するゴルフクラブヘッドの正面斜視図である。
【００１７】
【図１３】図１３は、図１１に例示したゴルフクラブヘッドの背面斜視図である。
【００１８】
【図１４】図１４は、図１１に例示したゴルフクラブヘッドの平面図である。
【００１９】
【図１５】図１５は、本明細書に記載のゴルフクラブヘッドを製造する１つの方法を示す図である。
【００２０】
【図１６】図１６は、本明細書に記載の器具、方法、及び製造物の更に別の実施形態に関するゴルフクラブヘッドの正面斜視図である。
【００２１】
【図１７】図１７は、図１６に例示したゴルフクラブヘッドの正面図である。
【００２２】
【図１８】図１８は、図１６に例示したゴルフクラブヘッドの背面図である。
【００２３】
【図１９】図１９は、図１６に例示したゴルフクラブヘッドの平面図である。
【００２４】
【図２０】図２０は、図１６に例示したゴルフクラブヘッドの底面図である。
【００２５】
【図２１】図２１は、図１６に例示したゴルフクラブヘッドの左側面図である。
【００２６】
【図２２】図２２は、図１６に例示したゴルフクラブヘッドの右側面図である。
【００２７】
【図２３】図２３は、図１６に例示したゴルフクラブヘッドの右側面図である。
【００２８】
【図２４】図２４は、図２３に例示したボディ部の底面図である。
【００２９】
【図２５】図２５は、図１６に例示したゴルフクラブヘッドに関連するウェイト部の平面図である。
【００３０】
【図２６】図２６は、図１６に例示したゴルフクラブヘッドに関連するウェイト部の側面図である。
【００３１】
【図２７】図２７は、図１６に例示したゴルフクラブヘッドに関連する別のウェイト部の側面図である。
【００３２】
【図２８】図２８は、図１６における別の例示的なボディ部の底面図である。
【００３３】
【図２９】図２９は、本明細書に記載の器具、方法、及び製造物の更に別の実施形態に関するゴルフクラブヘッドの背面斜視図である。
【００３４】
【図３０】図３０は、図２９に例示したゴルフクラブヘッドの平面図である。
【００３５】
【図３１】図３１は、図２９に例示したゴルフクラブヘッドの背面図である。
【００３６】
【図３２】図３２は、図３１の背面図の拡大図である。
【発明を実施するための形態】
【００３７】
説明の簡素化及び明確化のために、図面は構造を一般的な方法で示し、周知の機能及び技術の説明及び詳細は本開示を不必要に不明瞭にすることを避けるために省略される。また、図面中の要素は一定の縮尺で描かれないことがある。例えば、図面中の一部の要素の寸法は、本開示の実施例の理解の改善を助けるために他の要素に対して誇張され得る。
【００３８】
一般に、ゴルフクラブヘッド及びゴルフクラブヘッド製造方法が本明細書に記載される。本明細書に記載の器具、方法、及び製造物は、これに限定されない。
【００３９】
図１〜１０の例では、ゴルフクラブヘッド１００は、ボディ部１１０と、概して１２２、１２４、１２６として示される、視覚的ガイド部１２０とを含んでもよい。ボディ部１１０は、トウ部１３０と、ヒール部１４０と、フロント部１５０と、リア部１６０と、トップ部１７０と、ソール部１８０とを含んでもよい。ボディ部１１０は、種々の製造方法及び／又は工程（例えば、鋳造工程、鍛造工程、フライス工程、切削工程、研削工程、溶接工程、それらの組み合わせ、等）を介して製造することができる。ボディ部１１０は、部分的に又は完全に、アルミニウム系材料（例えば、高強度アルミニウム合金、又は高強度合金で被覆された複合アルミニウム合金）、マグネシウム系材料、ステンレス系材料、チタン系材料、タングステン系材料、それらの任意の組み合わせ、及び／又は他の適切なタイプの材料で作製されてもよい。あるいは、ボディ部１１０は、部分的に又は完全に、非金属材料（例えば、複合材料、プラスチック、等）で作製されてもよい。ゴルフクラブヘッド１００は、パター型ゴルフクラブヘッド（例えば、ブレード型パター、ミッドマレット型パター、マレット型パター、等）であってもよい。上述したようなパターのタイプに基づいて、ボディ部１１０は少なくとも２００グラムであってもよい。例えば、ボディ部１１０は、３００から６００グラムの範囲であってもよい。図１〜１０は特定のタイプのゴルフクラブヘッドを示すが、本明細書に記載の器具、方法、及び製造物は、他のタイプのクラブヘッド（例えば、ドライバー型クラブヘッド、フェアウェイウッド型クラブヘッド、ハイブリッド型クラブヘッド、アイアン型クラブヘッド、等）に適用されてもよい。本明細書に記載の器具、方法、及び製造物は、これに限定されない。
【００４０】
トップ部１３０及びヒール部１４０は、それぞれ、ボディ部１１０の対向する両端部にあってもよい。ヒール部１４０は、ゴルフクラブを形成するシャフトの一方の端部で、グリップ（不図示）を持つシャフト（不図示）を受けるように構成されたホーゼル部１４５と、他方の端部にあるゴルフクラブヘッド１００とを含んでもよい。あるいは、ヒール部１４０は、シャフトを受けるボア部（図１１〜１３に１２４５として１つ示される）を含んでもよい。トウ部１３０及びヒール部１４０は、それぞれ、ボディ部１１０の幅を画定してもよい。
【００４１】
同様に、フロント部１５０及びリア部１６０は、それぞれ、ボディ部１１０の対向する両端部にあってもよい。フロント部１５０は、フェース部１５５（例えば、打撃面）を含んでもよい。フェース部１５５は、ゴルフボール（図５に５００として１つ示される）に衝撃を与えるために使用されてもよい。フェース部１５５は、ボディ部１１０と一体的な部分であってもよい。あるいは、フェース部１５５は、別々の部品でもよく、種々の製造方法及び／又は工程（例えば、ボンディング工程、溶接工程、ろう付け工程、機械的なロック方法、機械的な締結方法、それらの任意の組み合わせ、又は他の適切なタイプの製造方法及び／又は工程）を介してボディ部１１０に結合される挿入物でもよい。フェース部１５５は、ゴルフクラブヘッド１００のロフト角を画定するロフト面と関連付けられてもよい。フロント部１５０及びリア部１６０は、それぞれ、ボディ部１１０の長さ（図９に９２０として示される）を画定してもよい。本明細書に記載の器具、方法、及び製造物は、これに限定されない。
【００４２】
一例では、視覚的ガイド部１２０は、第１のガイド部１２２と、第２のガイド部１２４とを含んでもよい。第１及び第２のガイド部１２２、１２４は、それぞれ、フロント部１５０とリア部１６０のそれぞれの間に設けられてもよい。例えば、第１及び第２のガイド部１２２、１２４は、それぞれ、ボディ部１１０の長さの範囲に設けられてもよい。第１及び第２のガイド部１２２、１２４は、それぞれ、実質的に一致してもよい（例えば、同じ長さ）。あるいは、第１及び第２のガイド部１２２、１２４は、それぞれ、異なる長さを有してもよい。すなわち、第１のガイド部１２２は、第２のガイド部１２４より長くてもよく、又はその逆でもよい。本明細書に記載の器具、方法、及び製造物は、これに限定されない。
【００４３】
視覚的ガイド部１２０は、実線部、破線部、点線部、又はそれらの任意の組み合わせを含んでもよい。図に示すように、例えば、第１及び第２のガイド部１２２、１２４は、それぞれ、実線部であってもよい。視覚的ガイド部１２０は、色付き線部、凸状線部、凹状線部、レーザエッチング線部、又はそれらの任意の組み合わせを含んでもよい。例えば、第１及び第２のガイド部１２２、１２４は、それぞれ、色付き及び凹状線部（例えば、ボディ部１１０に対するコントラスト層を含む）であってもよい。第１及び第２のガイド部１２２、１２４は、それぞれ、同じ色であってもよく、ボディ部１１０の色と異なってもよい（例えば、２つの対比色）。例えば、第１及び第２のガイド部１２２、１２４は、それぞれ、白色であり得る一方で、ボディ部１１０は、黒色（例えば、黒ニッケルクロム）であり得る。あるいは、ボディ部１１０及び／又は視覚的ガイド部１２０は、ボディ部１１０と視覚的ガイド部１２０が対照的な仕上げとなるように、異なる方法及び／又は工程で製造されてもよい。例えば、ボディ部１１０は、黒ニッケルクロムの仕上げであり得る一方で、第１及び第２のガイド部１２２、１２４は、それぞれ、ステンレス鋼の仕上げであり得る。上記の例は、第１及び第２のガイド部１２２、１２４は、それぞれ、同じ色を有する記述であるが、第１及び第２のガイド部１２２、１２４は、それぞれ、異なる色を有してもよい。本明細書に記載の器具、方法、及び製造物は、これに限定されない。
【００４４】
また、第１及び第２のガイド部１２２、１２４は、それぞれ、互いに実質的に平行であってもよい。第１及び第２のガイド部１２２、１２４は、それぞれ、少なくとも１．６８インチで分離されてもよい。第１のガイド部１２２は、トウ部１３０又はその近傍に配置され得る一方で、第２のガイド部１２４は、ヒール部１４０又はその近傍に配置され得る。例えば、第１のガイド部１２２は、トウ部１３０の外縁から１インチ未満に位置し得る一方で、第２のガイド部１２４は、ヒール部１４０の外縁から１インチ未満に位置し得る。具体的には、トウ部１３０は、トウ端部１３５と関連付けられてもよく、ヒール部１４０は、ヒール端部１４５と関連付けられてもよい。トウ端部１３５は、第１の垂直面４１５（図４）に接してもよく、ヒール端部１４５は、第２の垂直面４２５（図４）に接してもよい。第１及び第２の垂直面４１５、４２５は、それぞれ、互いに実質的に平行であってもよく、また、接地面２００に対して実質的に垂直であってもよい（図２、３）。一例では、第１のガイド部１２２は、トウ部１３０の第１の垂直面４１５から１インチ未満に配置されてもよく、第２のガイド部１２４は、ヒール部１４０の第２の垂直面４２５から１インチ未満に配置されてもよい。あるいは、第１及び第２のガイド部１２２、１２４は、それぞれ、第１及び第２の垂直面４１５、４２５のそれぞれから異なる距離に配置されてもよい。例えば、第１のガイド部１２２は、第１の垂直面４１５から０．５インチ（１２．７ｍｍ）に配置され得る一方で、第２のガイド部１２４は、第２の垂直面４２５から０．７５インチに配置され得る。本明細書に記載の器具、方法、及び製造物は、これに限定されない。
【００４５】
上述したように、第１及び第２のガイド部１２２、１２４は、それぞれ、凹状線部であってもよい。例えば、第１及び第２のガイド部１２２、１２４は、それぞれ、Ｕ字状の断面形状を有してもよい。あるいは、第１及び第２のガイド部１２２、１２４は、それぞれ、Ｖ字状の断面形状を有してもよく、任意の他の適切な断面形状を有してもよい。図９、１０に戻り、例えば、第１のガイド部１２２は、第１の垂直面４１５からの距離９１０に配置されてもよい。距離９１０は、１インチ未満であってもよい。第１のガイド部１２２は、少なくとも０．５インチ（１２．７ｍｍ）の長さ９２０を有してもよい。具体的には、長さ９２０は、約１．６インチであってもよい。また、第１のガイド部１２２は、少なくとも０．０５インチの幅１０１０と、少なくとも０．０１５インチの深さ１０２０を有してもよい。一例では、幅１０１０は、約０．１インチであってもよく、深さ１０２０は、約０．０５インチであってもよい。本明細書に記載の器具、方法、及び製造物は、これに限定されない。
【００４６】
他のアライメント補助具と同様に、視覚的ガイド部１２０は、視覚的なアライメントを支援することができる。他のアライメント補助具とは対照的に、しかし、視覚的ガイド部１２０は、ゴルフホール又はカップに対するゴルフボールを思い描く各人を支援することができる。図５、１１に示されるように、例えば、間隔５１０は、第１及び第２のガイド部１２２、１２４のそれぞれを分離してもよい。具体的には、間隔５１０は、ゴルフボール５００の直径（例えば、１．６８インチ又は４２．６７ミリメートル）よりも大きくてもよい。例えば、間隔５１０は、ゴルフカップ１１００の直径よりも大きくてもよい（例えば、４．２５インチ又は１０７．９５ミリメートル）。ゴルフクラブ１１００よりも相対的に小さいゴルフボール５００（すなわち、ゴルフボール５００はゴルフカップ１１００の４０％未満であり得る）の心的イメージを提供することで、第１及び第２のガイド部１２２、１２４は、それぞれ、各人の自信とパットの能力の向上を支援することができる。あるいは、間隔５１０は、ゴルフカップ１１００よりも相対的に小さいゴルフボール５００の心的イメージを提供するために、４．２５インチ以下だが１．６８インチより大きくしてもよい。本明細書に記載の器具、方法、及び製造物は、これに限定されない。
【００４７】
視覚的ガイド部１２０はまた、第３のガイド部１２６を含んでもよい。第３のガイド部１２６は、ボディ部１１０を２等分してもよい。第３のガイド部１２６は、第１及び第２のガイド部１２２、１２４のそれぞれの対称線を画定してもよい。第３のガイド部１２６は、第１及び／または第２のガイド部１２２、１２４のそれぞれと同じでもよく、異なっていてもよい。一例では、第１、第２及び第３のガイド部１２２、１２４、１２６は、それぞれ、同じ色の凹状線部であってもよい。あるいは、第１及び第２のガイド部１２２、１２４は、それぞれ、凹状線部であり得る一方で、第３のガイド部１２６は、凸状線部であり得る。別の例では、第３のガイド部１２６は、第１及び第２のガイド部１２２、１２４のそれぞれとは異なる色であってもよい。更に別の例では、第３のガイド部１２６は、第１及び第２のガイド部１２２、１２４のそれぞれとは異なる長さを有してもよい。本明細書に記載の器具、方法、及び製造物は、これに限定されない。
【００４８】
図１２〜１４を参照すると、例えば、ゴルフクラブヘッド１２００は、ボディ部１２１０と、概して１２２２、１２２４、１２２６として示される、視覚的ガイド部１２２０とを含んでもよい。ボディ部１２１０は、トウ部１２３０と、ヒール部１２４０と、フロント部１２５０と、リア部１２６０と、トップ１２７０と、ソール部１２８０とを含んでもよい。ホーゼルの代わりに、ゴルフクラブヘッド１２００は、シャフト（不図示）を受けるボア１２４５を含んでもよい。視覚的ガイド部１２２、１２４（図１〜１１）と同様に、視覚的ガイド部１２２２、１２２４は、第１の垂直面１４１５と第２の垂直面１４２５のそれぞれから特定の距離に配置されてもよい。例えば、視覚的ガイド部１２２２は、第１の垂直面１４１５から１インチ以内に配置されてもよく、視覚的ガイド部１２２４は、第２の垂直面１４２５から１インチ以内に配置されてもよい。また、間隔は、視覚的ガイド部１２２２、１２２４を分離してもよく、ゴルフボールの直径よりも大きくてもよい。本明細書に記載の器具、方法、及び製造物は、これに限定されない。
【００４９】
図１５は、本明細書に記載のゴルフクラブヘッドを製造する１つの方法を示す図である。図１５の例では、プロセス１５００は、トウ部１３０、ヒール部１４０、フロント部１５０、及びリア部１６０を含むボディ部１１０を供給することで開始され得る（ブロック１５１０）。フロント部１５０は、ゴルフボールを打つ打撃面１５５を含んでもよい。ボディ部１１０は、種々の製造方法及び／または工程（例えば、鋳造工程、鍛造工程、フライス工程、など）を介して製造されてもよい。
【００５０】
ゴルフボールを打撃面で打つ視覚的ガイドを提供するために、プロセス１５００は、フロント部１５０とリア部１６０との間に設けられる視覚的ガイド部１２０を供給してもよい（ブロック１５２０）。視覚的ガイド部１２０は、トウ部１３０又はその近傍に配置される第１のガイド部１２２と、ヒール部１４０又はその近傍に配置される第２のガイド部１２４とを含んでもよい。第１及び第２のガイド部１２２、１２４は、それぞれ、互いに実質的に平行であってもよい。視覚的ガイド部１２０は、種々の製造方法及び／または工程（例えば、鋳造工程、鍛造工程、フライス工程、など）を介して製造されてもよい。例えば、視覚的ガイド部１２０は、ボディ部１１０と同様の製造工程（例えば、鋳造工程又はフライス工程）で製造されてもよい。他の例では、視覚的ガイド部１２０は、フライス工程で製造され得る一方で、ボディ部１１０は、鋳造工程で製造され得る。本明細書に記載の器具、方法、及び製造物は、これに限定されない。
【００５１】
図１５に戻って参照すると、プロセス１５００の例は、単に、ゴルフクラブヘッド１００を製造する１つの方法の例を他の図と共に提供し、説明している。アクションの特定の順序を図１５に示しているが、これらのアクションは、他の経時的な順番で実行されてもよい。例えば、図１５に示す２以上のアクションは、連続して、同時に、又は一斉に実行されてもよい。一例では、ブロック１５１０と１５２０は、同時に又は一斉に実行されてもよい。図１５は特定の数のブロックを示すが、プロセスは、１以上のブロックを実行しなくてもよい。本明細書に記載の器具、方法、及び製造物は、これに限定されない。
【００５２】
図１６〜２８に戻り、例えば、ゴルフクラブヘッド１６００は、ボディ部１６１０（例えば、図２３、２４）と、概して１６２２、１６２４、１６２６として示される、視覚的ガイド部１６２０とを含んでもよい。ボディ部１６１０は、トウ部１６３０と、ヒール部１６４０と、フロント部１６５０と、リア部１６６０と、トップ部１６７０と、ソール部１６８０とを含んでもよい。フロント部１６５０は、フェース部１６５５（例えば、打撃面）を含んでもよい。フェース部１６５５は、ゴルフボール（図５に５００として１つ示される）を打つために使用される。ボディ部１６１０はまた、シャフト（不図示）を受けるボア部１６４５を含んでもいよい。あるいは、ボディ部１６１０は、シャフトを受けるホーゼル（不図示）を含んでもよい。ボディ部１６１０は、部分的に又は完全に、鋼系材料（例えば、１７−４ＰＨステンレス鋼）、チタン系材料、アルミニウム系材料（例えば、高強度アルミニウム合金、又は高強度合金で被覆された複合アルミニウム合金）、それらの任意の組み合わせ、及び／又は他の適切なタイプの材料で作製されてもよい。あるいは、ボディ部１６１０は、部分的に又は完全に、非金属材料（例えば、複合材料、プラスチック、等）で作製されてもよい。本明細書に記載の器具、方法、及び製造物は、これに限定されない。
【００５３】
図２３に示すように、例えば、ボディ部１６１０は、概して第１の視覚的ガイド部１６２２を形成する第１セットのウェイトポート２３２０（例えば、図示のウェイトポート２３２１、２３２２、２３２３、２３２４、２３２５）及び第２の視覚的ガイド部１６２４を形成する第２セットのウェイトポート２３４０（例えば、図示のウェイトポート２３４１、２３４２、２３４３、２３４４、２３４５）として示される、２以上のウェイトポートを含んでもよい。第１及び第２セットのウェイトポート２３２０、２３４０は、それぞれ、１以上のウェイト部（例えば、図２５に２５００として１つ示される）を受けるよう構成された外部ウェイトポートであってもよい。具体的には、第１及び第２セットのウェイトポート２３２０、２３４０は、ゴルフクラブヘッド１６００の周囲又はその近傍に配置されてもよい。例えば、第１及び第２セットのウェイトポート２３２０、２３４０は、それぞれ、トップ部１６７０上又はその近傍にあってもよい。第１セットのウェイトポート２３２０は、トウ部１６３０又はその近傍にあり得る一方で、第２セットのウェイトポート２３４０は、ヒール部１６４０又はその近傍にあり得る。
【００５４】
第１セットのウェイトポート２３２０の各ウェイトポートは、第１ポート直径（ＰＤ1）を有してもよい。具体的には、第１ポート直径未満の均一な距離は、第１セット２３２０のうちの隣接するいずれか２つのウェイトポート（例えば、（ｉ）ウェイトポート２３２１と２３２２、（ｉｉ）ウェイトポート２３２２と２３２３、（ｉｉｉ）ウェイトポート２３２３と２３２４、又は（ｉｖ）ウェイトポート２３２４と２３２５）を離してもよい。一例では、第１ポート直径は、約０．２５インチであってもよく、第１セット２３２０のうちの隣接するいずれか２つのウェイトポートは、０．１インチで離されてもよい。同様に、第２セットのウェイトポート２３４０の各ウェイトポートは、第２ポート直径（ＰＤ2）を有してもよい。第２ポート直径未満の均一な距離は、第２セット２３４０のうちの隣接するいずれか２つのウェイトポート（例えば、（ｉ）ウェイトポート２３４１と２３４２、（ｉｉ）ウェイトポート２３４２と２３４３、（ｉｉｉ）ウェイトポート２３４３と２３４４、又は（ｉｖ）ウェイトポート２３４４と２３４５）を離してもよい。第１ポート直径及び第２ポート直径は、互いに等しくてもよい（すなわち、ＰＤ1＝ＰＤ2）。例えば、第２ポート直径は、約０．２５インチであってもよく、第２セット２３４０のうちの隣接するいずれか２つのウェイトポートは、０．１インチで離されてもよい。本明細書に記載の器具、方法、及び製造物は、これに限定されない。
【００５５】
上述したように、視覚的ガイド部１６２０は、第３のガイド部１６２６を含んでもよい。従って、ボディ部１６１０は、概して第３のガイド部１６２６を形成する第３セットのウェイトポート２３６０（例えば、図示のウェイトポート２３６１、２３６２、２３６３、２３６４、２３６５、２３６６、２３６７、２３６８）として示される、２以上のウェイトポートを含むことができる。具体的には、第３のガイド部１６２６は、第１及び第２のガイド部１６２２、１６２４から実質的に等距離であってもよい。例えば、第３のガイド部１６２６は、ボディ部１６１０の中央又はその近傍の位置で、フロント部１６５０とリア部１６６０との間に設けられてもよい。第３セットのウェイトポート２３６０の各ウェイトポートは、第３ポート直径（ＰＤ3）を有してもよい。第３ポート直径は、第１ポート直径又は第２ポート直径と等しくてもよい（すなわち、ＰＤ1＝ＰＤ2＝ＰＤ3）。具体的には、第３ポート直径未満の均一な距離は、第３セット２３６０のうちの隣接するいずれか２つのウェイトポート（例えば、（ｉ）ウェイトポート２３６１と２３６２、（ｉｉ）ウェイトポート２３６２と２３６３、（ｉｉｉ）ウェイトポート２３６３と２３６４、（ｉｖ）ウェイトポート２３６４と２３６５、（ｖ）ウェイトポート２３６５と２３６６、（ｖｉ）ウェイトポート２３６６と２３６７、又は（ｖｉｉ）ウェイトポート２３６７と２３６８）を離してもよい。ボディ部１６１０はまた、Ｕ字状の凹部１６９０を含んでもよい。第３のガイド部１６２６は、Ｕ字状の凹部１６９０内に配置されてもよい。本明細書に記載の器具、方法、及び製造物は、これに限定されない。
【００５６】
また図２４に示すように、ボディ部１６１０は、内部キャビティ２４００を含んでもよい。内部キャビティ２４００は、部分的に又は完全に、弾性ポリマー又はエラストマー材料、熱可塑性エラストマー材料（ＴＰＥ）、熱可塑性ポリウレタン材料（ＴＰＵ）、及び／又は衝撃を吸収し、振動を分離し、及び／又はノイズを減衰する他の適切なタイプの材料で、充填されてもよい。プレート部２０００（図２０）は、ソール部１６８０から内部キャビティ２４００を覆ってもよい。プレート部２０００は、部分的に又は完全に、鋼系材料（例えば、１７−４ＰＨステンレス鋼）、チタン系材料、アルミニウム系材料（例えば、高強度アルミニウム合金、又は高強度合金で被覆された複合アルミニウム合金）、それらの任意の組み合わせ、及び／又は他の適切なタイプの材料で作製されてもよい。あるいは、ボディ部１６１０は、図２８に２８１０として１つ示すように、部分的に又は完全に、非金属材料（例えば、複合材料、プラスチック、等）で作製されてもよい。
【００５７】
視覚的ガイド部１２２２、１２２４（図１２〜１４）と同様な方法で、視覚的ガイド部１６２２、１６２４は、それぞれ、第１の垂直面１６１５と第２の垂直面１６２５のそれぞれから特定の距離に配置されてもよい。例えば、視覚的ガイド部１６２２は、第１の垂直面１６１５から１インチ以内に配置されてもよく、視覚的ガイド部１６２４は、第２の垂直面１６２５から１インチ以内に配置されてもよい。また、間隔１９１０は、視覚的ガイド部１６２２、１６２４を分離してもよく、ゴルフボールの直径より大きくてもよい。一例では、間隔１９１０は、３インチ（３ｉｎ．）より大きくてもよい。別の例では、間隔１９１０は、約３．７５インチでもよい。
【００５８】
視覚的ガイド部１６２２、１６２４は、ゴルフクラブヘッド１６００の周囲に対して配置してもよい。一例では、視覚的ガイド部１６２２は、トウ部１６３０又はその近傍の周囲から０．５インチ（１２．７ｍｍ）未満に配置され得る一方で、視覚的ガイド部１６２４は、ヒール部１６４０又はその近傍の周囲から０．５インチ（１２．７ｍｍ）未満に配置され得る。また、視覚的ガイド部１６２２、１６２４の各々は、フロント部１６５０とリア部１６６０との間の最大長１６９０程度に設けられてもよい。あるいは、視覚的ガイド部１６２２、１６２４の各々は、フロント部１６５０とリア部１６６０との間の最大長１６９０の５０％未満に設けられてもよい。本明細書に記載の器具、方法、及び製造物は、これに限定されない。
【００５９】
実線（例えば、視覚的ガイド部１２２２、１２２４）に代えて、視覚的ガイド部１６２２、１６２４の各々は、それぞれ、概して第１セットのウェイト部１９２０（例えば、図示の１９２１、１９２２、１９２３、１９２４、１９２５）及び第２セットのウェイト部１９４０（例えば、図示の１９４１、１９４２、１９４３、１９４４、１９４５）として示される、２以上のウェイト部で形成される点線であってもよい。同様に、視覚的ガイド部１６２６は、概して第３セットのウェイト部１９６０（例えば、図示の１９６１、１９６２、１９６３、１９６４、１９６５、１９６６、１９６７、１９６８）として示される、２以上のウェイト部で形成される点線であってもよい。第１、第２及び第３セットのウェイト部１９２０、１９４０、１９６０は、それぞれ、部分的に又は完全に、タングステン系材料のような高密度材料又は適切なタイプの材料で作製されてもよい。あるいは、第１、第２及び第３セットのウェイト部１９２０、１９４０、１９６０は、それぞれ、部分的に又は完全に、非金属材料（例えば、複合材料、プラスチック、等）で作製されてもよい。本明細書に記載の器具、方法、及び製造物は、これに限定されない。
【００６０】
第１、第２及び第３セットのウェイト部１９２０、１９４０、１９６０は、それぞれ、類似又は異なる物理的特性（例えば、密度、形状、質量、体積、サイズ、色、等）を有してもよい。図２５〜２７に例を図示するように、第１、第２及び第３セット１９２０、１９４０、１９６０の各ウェイト部は、円筒形状（例えば、円形の断面）を有してもよい。あるいは、第１及び第２セット１９２０、１９４０の各ウェイト部は、第１の形状（例えば、円筒形状）であり得る一方で、第３セット１９６０の各ウェイト部は、第２の形状（例えば、矩形状）であり得る。上記の例は特定の形状を持つウェイト部を記載しているが、本明細書に記載の器具、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。
【００６１】
また、第１、第２及び第３セット１９２０、１９４０、１９６０の各ウェイト部は、それぞれ、約０．２５インチの直径２５１０を有してもよいが、第１、第２及び第３セットのウェイト部１９２０、１９４０、１９６０は、それぞれ、異なる高さであってもよい。具体的には、第１及び第２セット１９２０、１９４０の各ウェイト部は、第１高さ２６１０（図２６）と関連付けられてもよく、第３セット１９６０の各ウェイト部は、第２高さ２７１０（図２７）と関連付けられてもよい。第１高さ２６１０は、第２高さ２７１０より相対的に長くてもよい。一例では、第１高さ２６１０は、約０．３インチであり得る一方で、第２高さ２７１０は、約０．１６インチであり得る。あるいは、第１高さ２６１０は、第２高さ２７１０以下であってもよい。本明細書に記載の器具、方法、及び製造物は、これに限定されない。
【００６２】
第１及び第２セットのウェイト部１９２０、１９４０は、それぞれ、ウェイトポートに固定するためのネジ山を含んでもよい。例えば、第１及び第２セットのウェイト部１９２０、１９４０の各ウェイト部は、ネジであってもよい。第１及び第２セットのウェイト部１９２０、１９４０は、それぞれ、工具有り又は無しでボディ部１６１０から容易に取り外し可能でなくともよい。あるいは、第１及び第２セットのウェイト部１９２０、１９４０は、それぞれ、第１及び第２セット１９２０、１９４０の１以上のウェイト部を相対的に重い又は軽いウェイト部にそれぞれ付け替えることができるように、（例えば、工具有りで）容易に取り外し可能であってもよい。別の例では、第１及び第２セットのウェイト部１９２０、１９４０は、それぞれ、第１及び第２セットのウェイト部１９２０、１９４０をそれぞれ容易に取り外しできないように、エポキシ樹脂又は接着剤でボディ部１６１０のウェイトポートに固定されてもよい。更に別の例では、第１及び第２セットのウェイト部１９２０、１９４０は、それぞれ、第１及び第２セットのウェイト部１９２０、１９４０をそれぞれ容易に取り外しできないように、エポキシ樹脂及びネジ山の両方でボディ部１６１０のウェイトポートに固定されてもよい。本明細書に記載の器具、方法、及び製造物は、これに限定されない。
【００６３】
ゴルフクラブヘッド１６００はまた、第４セットのウェイト部２１２０（例えば、図示の２１２１、２１２２、２１２３、２１２４）及び第５セットのウェイト部２２２０（例えば、図示の２２２１、２２２２、２２２３、２２２４）を含んでもよい。第４及び第５セットのウェイト部２１２０、２２２０は、リア部１６６０又はその近傍に配置されてもよいが、第４セットのウェイト部２１２０は、ヒール部１６４０又はその近傍に配置され得る一方で、第５セットのウェイト部２２２０は、トウ部１６３０又はその近傍に配置され得る。第４及び第５セットのウェイト部２１２０、２２２０の各々は、少なくとも３つのウェイト部を含んでもよい。本明細書に記載の器具、方法、及び製造物は、これに限定されない。
【００６４】
上記の例は、特定の数の視覚的ガイド部、ウェイトポート、及びウェイト部を記載するが、本明細書に記載の器具、方法、および製造物は、より多い又はより少ない視覚的ガイド部、ウェイトポート、及び／又はウェイト部を含んでもよい。図１６〜２４は、特定のタイプのパタークラブヘッド（例えば、マレット型パタークラブヘッド）を示すが、本明細書に記載の器具、方法、および製造物は、他のタイプのパターに適用されてもよい。図２９に示すように、本明細書に記載の器具、方法、および製造物は、ブレード型パタークラブヘッド２９００に適用されてもよい。例えば、ゴルフクラブヘッド２９００は、ボディ部２９１０と、概して２９２２、２９２４、２９２６として示される、視覚的ガイド部２９２０とを含んでもよい。ボディ部２９１０は、トウ部２９３０と、ヒール部２９４０と、フロント部２９５０と、リア部２９６０と、トップ部２９７０と、ボトム部２９８０とを含んでもよい。ボディ部２９１０はまた、シャフト（不図示）を受けるボア２９４５を含んでもよい。あるいは、ボディ部２９１０は、シャフトを受けるホーゼル（不図示）を含んでもよい。ボディ部２９１０は、部分的に又は完全に、鋼系材料（例えば、１７−４ＰＨステンレス鋼）、チタン系材料、アルミニウム系材料（例えば、高強度アルミニウム合金、又は高強度合金で被覆された複合アルミニウム合金）、それらの任意の組み合わせ、及び／又は他の適切なタイプの材料で作製されてもよい。あるいは、ボディ部２９１０は、部分的に又は完全に、非金属材料（例えば、複合材料、プラスチック、等）で作製されてもよい。本明細書に記載の器具、方法、及び製造物は、これに限定されない。
【００６５】
視覚的ガイド部１６２２、１６２４（図１６〜２４）と同様に、視覚的ガイド部２９２２、２９２４は、それぞれ、第１の垂直面２９１５と第２の垂直面２９２５のそれぞれから特定の距離に配置されてもよい。例えば、視覚的ガイド部２９２２は、第１の垂直面２９１５から１インチ以内に配置されてもよく、視覚的ガイド部２９２４は、第２の垂直面２９２５から１インチ以内に配置されてもよい。また、間隔３０１０は、視覚的ガイド部２９２２、２９２４を分離してもよく、ゴルフボールの直径より大きくてもよい。一例では、間隔３０１０は、３インチ（３ｉｎ．）より大きくてもよい。別の例では、間隔３０１０は、約３．７５インチであってもよい。
【００６６】
視覚的ガイド部２９２２、２９２４は、ゴルフクラブヘッド２９００の周囲に対して配置されてもよい。一例では、視覚的ガイド部２９２２は、トウ部２９３０又はその近傍の周囲から０．５インチ（１２．７ｍｍ）未満に配置され得る一方で、視覚的ガイド部２９２４は、ヒール部２９４０又はその近傍の周囲から０．５インチ（１２．７ｍｍ）未満に配置され得る。また、視覚的ガイド部２９２２、２９２４の各々は、フロント部２９５０とリア部２９６０との間の最大長程度に設けられてもよい。あるいは、視覚的ガイド部２９２２、２９２４の各々は、フロント部２９５０とリア部２９６０との間の最大長５０％未満に設けられてもよい。本明細書に記載の器具、方法、及び製造物は、これに限定されない。
【００６７】
視覚的ガイド部２９２２、２９２４の各々は、概して第１セットのウェイトポート３０６０（例えば、図示の３０６１、３０６２、３０６３、３０６４、３０６５）及び第２セットのウェイトポート３０８０（例えば、図示の３０８１、３０８２、３０８３、３０８４、３０８５）と係合するよう構成された第１セットのウェイト部３０２０（例えば、図示の３０２１、３０２２、３０２３、３０２４、３０２５）及び第２セットのウェイト部３０４０（例えば、図示の３０４１、３０４２、３０４３、３０４４、３０４５）として示される、複数のウェイト部で形成される点線であってもよい。あるいは、視覚的ガイド部２９２２、２９２４の各々は、そこに固定された任意のウェイト部を有しない一部又は全ての第１セットのウェイトポート３０６０及び第２セットのウェイトポート３０８０により形成される点線であってもよい。第１セット及び第２セットのウェイト部３０２０、３０４０は、それぞれ、部分的に又は完全に、タングステン系材料のような高密度材料又は適切なタイプの材料で作製されてもよい。あるいは、第１セット及び第２セットのウェイト部３０２０、３０４０は、それぞれ、部分的に又は完全に、非金属材料（例えば、複合材料、プラスチック、等）で作製されてもよい。本明細書に記載の器具、方法、及び製造物は、これに限定されない。
【００６８】
第１及び第２セットのウェイト部３０２０、３０４０の各ウェイト部は、それぞれ、類似又は異なる物理的特性（例えば、密度、形状、質量、体積、サイズ、色、等）を有してもよい。例えば、第１のウェイト部３０２０の各ウェイト部は、各々同じ特性を有し得る一方で、第２のウェイト部３０４０の各ウェイト部は、第１のウェイト部３０２０の各ウェイト部とは異なる特性だが各々同じ特性を有し得る。別の例では、第１のウェイト部３０２０の各ウェイト部は、各々異なる特性を有してもよく、及び／又は、第２のウェイト部３０４０の各ウェイト部は、各々異なる特性を有してもよい。図２５〜２７に例を図示するように、第１及び第２セット３０２０、３０４０のウェイト部の各々は、それぞれ、円筒形状（例えば、円形の断面）を有してもよい。上記の例は特定の形状を持つウェイト部を記載しているが、本明細書に記載の器具、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。
【００６９】
第１及び第２セットのウェイト部３０２０、３０４０は、それぞれ、第１セットのウェイトポート３０６０及び第２セットのウェイトポート３０８０の各ウェイトポートに固定するためのネジ山を含んでもよく、これらウェイトポートもまた、対応するネジ山を有してもよい。例えば、第１及び第２セットのウェイト部３０２０、３０４０の各ウェイト部は、ネジであってもよい。第１及び第２セットのウェイト部３０２０、３０４０は、それぞれ、工具有り又は無しでボディ部２９１０から容易に取り外し可能でなくともよい。あるいは、第１及び第２セットのウェイト部３０２０、３０４０は、それぞれ、第１及び第２セット３０２０、３０４０の１以上のウェイト部を相対的に重い又は軽いウェイト部にそれぞれ付け替えることができるように、（例えば、工具有りで）容易に取り外し可能であってもよい。別の例では、第１及び第２セットのウェイト部３０２０、３０４０は、それぞれ、第１及び第２セットのウェイト部３０２０、３０４０をそれぞれ容易に取り外しできないように、エポキシ樹脂又は接着剤で第１セットのウェイトポート３０６０及び第２セットのウェイトポート３０８０の各ウェイトポートに固定されてもよい。更に別の例では、第１及び第２セットのウェイト部３０２０、３０４０は、それぞれ、第１及び第２セットのウェイト部３０２０、３０４０をそれぞれ容易に取り外しできないように、エポキシ樹脂及びネジ山の両方で第１セットのウェイトポート３０６０及び第２セットのウェイトポート３０８０の各ウェイトポートに固定されてもよい。本明細書に記載の器具、方法、及び製造物は、これに限定されない。
【００７０】
視覚的ガイド部２９２６は、フロント部２９５０とリア部２９６０との間に設けられる概して直線状の凹部又は突起によって画定されてもよい。視覚的ガイド部２９２６は、第１及び第２のガイド部２９２２、２９２４のそれぞれから実質的に等距離であってもよい。例えば、ガイド部２９２６は、ボディ部２９１０の中央又はその近傍で、フロント部２９５０とリア部２９６０とのそれぞれの間に設けられてもよい。あるいは、ガイド部２９２６は、ゴルフクラブヘッド１６１０の第３の視覚的ガイド部１６２６と同様に各々がウェイト部を受ける複数のウェイトポートによって画定されてもよい。本明細書に記載の器具、方法、及び製造物は、これに限定されない。
【００７１】
フロント部２９５０は、フェース部２９５２（例えば、打撃面）を含んでもよい。バック部２９６０は、概して第３セットのウェイト部３１２０（例えば、図示の３１２１、３１２２、３１２３、３１２４、３１２５）及び第４セットのウェイト部３１４０（例えば、図示の３１４１、３１４２、３１４３、３１４４、３１４５）として示される、複数のウェイト部を含んでもよい。第３セットのウェイト部３１２０及び第４セットのウェイト部３１４０は、概して第３セットのウェイトポート３１６０（例えば、図示の３１６１、３１６２、３１６３、３１６４、３１６５）及び第４セットのウェイトポート３１８０（例えば、図示の３１８１、３１８２、３１８３、３１８４、３１８５）として示される、複数のウェイトポートに固定されてもよい。第３セットのウェイトポート３１６０及び第４セットのウェイトポート３１８０は、フェース部２９５２に対向する側に配置されたバック部２９６０のバックウォール部３１５０に形成される。第３セットのウェイトポート３１６０及び第４セットのウェイトポート３１８０は、トップ部２９７０とボトム部２９８０との間のバックウォール部３１５０に構成されてもよい。第３セットのウェイトポート３１６０の各ウェイトポートは、トウ部２９３０とヒール部２９４０との間に設けられ、第４セットのウェイトポート３８６０の各ウェイトポートは、トウ部２９３０とヒール部２９４０との間に設けられる。第３及び第４セットのウェイト部３１２０、３１４０は、それぞれ、部分的に又は完全に、タングステン系材料のような高密度材料又は適切なタイプの材料で作製されてもよい。あるいは、第３及び第４セットのウェイト部３１２０、３１４０は、それぞれ、部分的に又は完全に、非金属材料（例えば、複合材料、プラスチック、等）で作製されてもよい。本明細書に記載の器具、方法、及び製造物は、これに限定されない。
【００７２】
第１、第２、第３及び第４セットのウェイト部３０２０、３０４０、３１２０、３１４０は、それぞれ、類似又は異なる物理的特性（例えば、密度、形状、質量、体積、サイズ、色、等）を有してもよい。例えば、第３セットのウェイト部３１２０の各ウェイト部は、各々同じ特性を有し得る一方で、第４セットのウェイト部３１４０の各ウェイト部は、第３のウェイト部３１２０の各ウェイト部とは異なる特性だが各々同じ特性を有し得る。別の例では、第３のウェイト部３１２０の各ウェイト部は、各々異なる特性を有してもよく、及び／又は、第４のウェイト部３１４０の各ウェイト部は、各々異なる特性を有してもよい。図２５〜２７に例を図示するように、第３及び第４セット３１２０、３１４０のウェイト部の各々は、それぞれ、円筒形状（例えば、円形の断面）を有してもよい。上記の例は特定の形状を持つウェイト部を記載しているが、本明細書に記載の器具、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。
【００７３】
第３及び第４セットのウェイト部３１２０、３１４０は、それぞれ、第３セットのウェイトポート３１６０及び第４セットのウェイトポート３１８０の各ウェイトポートに固定するためのネジ山を含んでもよく、これらウェイトポートもまた、対応するネジ山を有してもよい。第３及び第４セットのウェイト部３１２０、３１４０は、それぞれ、第１セットのウェイトポート３０６０及び第２セットのウェイトポート３０８０の各ウェイトポートに固定するためのネジ山を含んでもよく、これらウェイトポートもまた、対応するネジ山を有してもよい。例えば、第３及び第４セットのウェイト部３１２０、３１４０の各ウェイト部は、それぞれ、ネジであってもよい。第３及び第４セットのウェイト部３１２０、３１４０は、それぞれ、工具有り又は無しでボディ部２９１０から容易に取り外し可能でなくともよい。あるいは、第３及び第４セットのウェイト部３１２０、３１４０は、それぞれ、第３及び第４セット３１２０、３１４０の１以上のウェイト部を相対的に重い又は軽いウェイト部にそれぞれ付け替えることができるように、（例えば、工具有りで）容易に取り外し可能であってもよい。別の例では、第３及び第４セットのウェイト部３１２０、３１４０は、それぞれ、第３及び第４セットのウェイト部３１２０、３１４０をそれぞれ容易に取り外しできないように、エポキシ樹脂又は接着剤で第３セットのウェイトポート３１６０及び第４セットのウェイトポート３１８０の各ウェイトポートに固定されてもよい。更に別の例では、第３及び第４セットのウェイト部３１２０、３１４０は、それぞれ、第３及び第４セットのウェイト部３１２０、３１４０をそれぞれ容易に取り外しできないように、エポキシ樹脂及びネジ山の両方で第３セットのウェイトポート３１６０及び第４セットのウェイトポート３１８０の各ウェイトポートに固定されてもよい。
【００７４】
第１セットのウェイトポート３０６０の各ウェイトポートは、第１ポート直径（ＰＤ1）を有してもよい。具体的には、第１ポート直径未満の均一な距離は、第１セット３０６０のうちの隣接するいずれか２つのウェイトポート（例えば、（ｉ）ウェイトポート３０６１と３０６２、（ｉｉ）ウェイトポート３０６２と３０６３、（ｉｉｉ）ウェイトポート３０６３と３０６４、又は（ｉｖ）ウェイトポート３０６４と３０６５）を離してもよい。一例では、第１ポート直径は、約０．２５インチであってもよく、第１セット３０６０のうちの隣接するいずれか２つのウェイトポートは、０．１インチで離されてもよい。
【００７５】
同様に、第２セットのウェイトポート３０８０の各ウェイトポートは、第２ポート直径（ＰＤ2）を有してもよい。第２ポート直径未満の均一な距離は、第２セット３０８０のうちの隣接するいずれか２つのウェイトポート（例えば、（ｉ）ウェイトポート３０８１と３０８２、（ｉｉ）ウェイトポート３０８２と３０８３、（ｉｉｉ）ウェイトポート３０８３と３０８４、又は（ｉｖ）ウェイトポート３０８４と３０８５）を離してもよい。例えば、第２ポート直径は、約０．２５インチであってもよく、第２セット３０８０のうちの隣接するいずれか２つのウェイトポートは、０．１インチで離されてもよい。
【００７６】
同様に、第３セットのウェイトポート３１６０の各ウェイトポートは、第３ポート直径（ＰＤ3）を有してもよい。第３ポート直径未満の均一な距離は、第３セット３１６０のうちの隣接するいずれか２つのウェイトポート（例えば、（ｉ）ウェイトポート３１６１と３１６２、（ｉｉ）ウェイトポート３１６２と３１６３、（ｉｉｉ）ウェイトポート３１６３と３１６４、又は（ｉｖ）ウェイトポート３１６４と３１６５）を離してもよい。例えば、第３ポート直径は、約０．２５インチであってもよく、第３セット３１６０のうちの隣接するいずれか２つのウェイトポートは、０．１インチで離されてもよい。
【００７７】
同様に、第４セットのウェイトポート３１８０の各ウェイトポートは、第４ポート直径（ＰＤ4）を有してもよい。第４ポート直径未満の均一な距離は、第４セット３１８０のうちの隣接するいずれか２つのウェイトポート（例えば、（ｉ）ウェイトポート３１８１と３１８２、（ｉｉ）ウェイトポート３１８２と３１８３、（ｉｉｉ）ウェイトポート３１８３と３１８４、（ｉｖ）ウェイトポート３１８４と３１８５、又は（ｖ）ウェイトポート３１８５と３１８６）を離してもよい。例えば、第４ポート直径は、約０．２５インチであってもよく、第４セット３１８０のうちの隣接するいずれか２つのウェイトポートは、０．１インチで離されてもよい。
【００７８】
第１、第２、第３及び第４ポート直径の任意の２以上は、概して互いに等しくてもよく（例えば、ＰＤ1＝ＰＤ2＝ＰＤ3＝ＰＤ4）、又は互いに等しくなくてもよい（例えば、ＰＤ1＝ＰＤ2＝ＰＤ3≠ＰＤ4）。本明細書に記載の器具、方法、及び製造物は、これに限定されない。
【００７９】
第３ポート直径又は第４ポート直径未満の均一な距離は、第３セット３１６０又は第４セット３１８０のうちの隣接するいずれか２つのウェイトポート（例えば、（ｉ）ウェイトポート３１８１と３１６１、（ｉｉ）ウェイトポート３１６１と３１８２、（ｉｉｉ）ウェイトポート３１８２と３１６２、（ｉｖ）ウェイトポート３１６２と３１８３、（ｖ）ウェイトポート３１８３と３１６３、（ｖｉ）ウェイトポート３１６３と３１８４、（ｖｉｉ）ウェイトポート３１８４と３１６４、（ｖｉｉｉ）ウェイトポート３１６４と３１８５、（ｉｘ）ウェイトポート３１８５と３１６５、又は（ｘ）ウェイトポート３１６５と３１８６）を離してもよい。第１セットのウェイト部３０２０、第２セットのウェイト部３０４０、第３セットのウェイト部３１２０、第４セットのウェイト部３１４０の各ウェイト部は、第１セットのウェイトポート３００２、第２セットのウェイトポート３００４、第３セットのウェイトポート３１６０、第４セットのウェイトポート３１８０の任意のウェイトポートに使用され得る。本明細書に記載の器具、方法、及び製造物は、これに限定されない。
【００８０】
第１セット３０２０、第２セット３０４０、第３セット３１２０及び第４セット３１４０のウェイト部は、ゴルフクラブの重心、慣性モーメント及び又は他の重量及び慣性の特性を調整するために、異なる質量構成を持つ他のウェイト部と交換可能であってもよい。例えば、第１セットのウェイト部３０２０の全体的な質量は、ゴルフクラブヘッド２９００のトウ重量の偏りを加えるために、第２セットのウェイト部３０４０の全体的な質量より大きくしてもよい。別の例では、第４セットのウェイト部３１４０の全体的な質量は、ゴルフクラブヘッド２９００の重心をより低く又は高くするために、第３セットのウェイト部３１２０の全体的な質量未満にしてもよい。このように、ゴルフクラブヘッド２９００のウェイト部は、ゴルフクラブヘッド２９００の特定の構成を提供するために任意の方法で構成されてもよい。
【００８１】
本明細書に記載の器具、方法、及び製造物は、種々の実施形態で実現することができ、これらの実施形態のいくつかの前述した説明は、必ずしも全ての可能な実施形態の完全な説明を表すものではない。代わりに、図面の説明、及び図面自体は、少なくとも１つの実施例を開示し、及び代替の実施形態を開示してもよい。
【００８２】
ゴルフのルールが時々変更されるように（例えば、ゴルフ標準団体及び／又は全米ゴルフ協会（ＵＳＧＡ）、全英ゴルフ協会（Ｒ＆Ａ）、等のような運営組織によって、新しい規則が採択されてもよく又は古い規則が撤廃又は変更されてもよい）、本明細書に記載の器具、方法、及び製造物に関連するゴルフ用品は、任意の特定の時点のゴルフのルールに適合しても適合しなくてもよい。従って、本明細書に記載の器具、方法、及び製造物に関連するゴルフ用品は、適合又は不適合のゴルフ用品として宣伝され、売りに出され、及び／又は販売されてもよい。本明細書に記載の器具、方法、及び製造物は、これに限定されない。
【００８３】
器具、方法、及び製造物の特定の例を本明細書で説明したが、本開示の対象領域はこれに限定されない。これに対し、本開示は、添付の特許請求の範囲又は均等論の領域内に公正に入る全ての器具、方法、及び製造物をカバーする。
【図１】
2017511212.tif 000003
【図２】
2017511212.tif 000004
【図３】
2017511212.tif 000005
【図４】
2017511212.tif 000006
【図５】
2017511212.tif 000007
【図６】
2017511212.tif 000008
【図７】
2017511212.tif 000009
【図８】
2017511212.tif 000010
【図９】
2017511212.tif 000011
【図１０】
2017511212.tif 000012
【図１１】
2017511212.tif 000013
【図１２】
2017511212.tif 000014
【図１３】
2017511212.tif 000015
【図１４】
2017511212.tif 000016
【図１５】
2017511212.tif 000017
【図１６】
2017511212.tif 000018
【図１７】
2017511212.tif 000019
【図１８】
2017511212.tif 000020
【図１９】
2017511212.tif 000021
【図２０】
2017511212.tif 000022
【図２１】
2017511212.tif 000023
【図２２】
2017511212.tif 000024
【図２３】
2017511212.tif 000025
【図２４】
2017511212.tif 000026
【図２５】
2017511212.tif 000027
【図２６】
2017511212.tif 000028
【図２７】
2017511212.tif 000029
【図２８】
2017511212.tif 000030
【図２９】
2017511212.tif 000031
【図３０】
2017511212.tif 000032
【図３１】
2017511212.tif 000033
【図３２】
2017511212.tif 000034
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
トウ部と、ヒール部と、リア部と、打撃面を持つフロント部と、ソール部と、複数のウェイトポートを持つトップ部とを有するボディ部であり、ゴルフクラブヘッドの周囲を画定する、前記ボディ部と、
前記複数のウェイトポートの各ウェイトポートに各々が配置される複数のウェイト部と、
前記打撃面でゴルフボールを打つ視覚的ガイドを提供するために前記フロント部と前記リア部との間に設けられた視覚的ガイド部であり、前記トウ部又はその近傍の前記周囲から０．５インチ（１２．７ｍｍ）未満に配置された前記複数のウェイトポートのうちの第１セットのウェイトポートで形成された第１のガイド部と、前記ヒール部又はその近傍の前記周囲から０．５インチ（１２．７ｍｍ）未満に配置された前記複数のウェイトポートのうちの第２セットのウェイトポートで形成された第２のガイド部とを含む、前記視覚的ガイド部と、
を備えたゴルフクラブヘッドであって、
前記複数のウェイトポートの各ウェイトポートは、ポート直径と関連しており、
前記複数のウェイトポートのうちの隣接するいずれか２つのウェイトポートは、前記ポート直径以下の間隔で離されており、
バックウォール部が、前記複数のウェイトポートの少なくとも１つのウェイトポートを有することを特徴とするゴルフクラブヘッド。
【請求項２】
請求項１に記載のゴルフクラブヘッドにおいて、
前記バックウォール部は、前記複数のウェイトポートのうちの第３セットのウェイトポートと、前記複数のウェイトポートのうちの第４セットのウェイトポートとを有し、前記第３セットのウェイトポート及び前記第４セットのウェイトポートは、前記トップ部と前記ソール部との間に設けられ、前記第３セットのウェイトポートの各ウェイトポートは、前記ヒール部と前記トウ部との間に設けられ、前記第４セットのウェイトポートの各ウェイトポートは、前記ヒール部と前記トウ部との間に設けられることを特徴とするゴルフクラブヘッド。
【請求項３】
請求項１に記載のゴルフクラブヘッドにおいて、
前記間隔は、前記ポート直径の５０％未満の間隔を有することを特徴とするゴルフクラブヘッド。
【請求項４】
請求項１に記載のゴルフクラブヘッドにおいて、
前記第１及び第２のガイド部の各々は、前記フロント部と前記リア部との間の最大長の５０％未満の長さを有することを特徴とするゴルフクラブヘッド。
【請求項５】
請求項１に記載のゴルフクラブヘッドにおいて、
前記第１及び第２のガイド部は、１．６８インチ（４２．６７ｍｍ）より大きく４．２５インチ（１０７．９５ｍｍ）以下の間隔で離されていることを特徴とするゴルフクラブヘッド。
【請求項６】
請求項１に記載のゴルフクラブヘッドにおいて、
前記視覚的ガイド部は、前記フロント部と前記リア部との間に設けられた第３のガイド部を有し、前記第３のガイド部は、前記第１及び前記第２のガイド部から実質的に等距離に配置された前記複数のウェイトポートのうちの第３セットのウェイトポートで形成されていることを特徴とするゴルフクラブヘッド。
【請求項７】
請求項１に記載のゴルフクラブヘッドにおいて、
前記視覚的ガイド部は、色付き線部、凸状線部、凹状線部、レーザエッチング線部、実線部、破線部、点線部、又は前記複数のウェイトポートのうちの２以上のウェイトポートの少なくとも１つを有することを特徴とするゴルフクラブヘッド。
【請求項８】
請求項１に記載のゴルフクラブヘッドにおいて、
前記ボディ部は、第１の材料で作製されると共に、前記複数のウェイト部は、第２の材料で作製され、前記第１及び第２の材料は、互いに異なることを特徴とするゴルフクラブヘッド。
【請求項９】
トウ部と、ヒール部と、複数のウェイトポートを有するバックウォール部を持つバック部と、打撃面を持つフロント部と、トップ部と、ソール部とを有するボディ部であり、ゴルフクラブヘッドの周囲を画定する、前記ボディ部と、
前記複数のウェイトポートの各ウェイトポートに各々が配置される複数のウェイト部と、
前記打撃面でゴルフボールを打つ視覚的ガイドを提供するために前記フロント部と前記バック部との間に設けられた視覚的ガイド部であり、前記複数のウェイトポートのうちの第１セットのウェイトポートで形成されると共に前記トウ部の近傍に配置された第１のガイド部と、前記複数のウェイトポートのうちの第２セットのウェイトポートで形成されると共に前記ヒール部の近傍に配置された、前記第１のガイド部と実質的に平行な第２のガイド部と、前記フロント部と前記リア部との間に設けられると共に前記第１及び第２のガイド部から実質的に等距離に配置された第３のガイド部とを含む、前記視覚的ガイド部と、
を備えたパター型ゴルフクラブヘッドであって、
前記複数のウェイトポートの各ウェイトポートは、ポート直径と関連しており、
前記複数のウェイトポートのうちの隣接するいずれか２つのウェイトポートは、前記ポート直径以下の間隔で離されていることを特徴とするパター型ゴルフクラブヘッド。
【請求項１０】
請求項９に記載のパター型ゴルフクラブヘッドにおいて、
前記第３のガイド部は、色付き線部、凸状線部、凹状線部、レーザエッチング線部、実線部、破線部、又は点線部の少なくとも１つを有することを特徴とするパター型ゴルフクラブヘッド。
【請求項１１】
請求項９に記載のパター型ゴルフクラブヘッドにおいて、
前記第１のガイド部は、前記周囲から０．５インチ（１２．７ｍｍ）未満に配置されると共に、前記第２のガイド部は、前記周囲から０．５インチ（１２．７ｍｍ）未満に配置されることを特徴とするパター型ゴルフクラブヘッド
【請求項１２】
請求項９に記載のパター型ゴルフクラブヘッドにおいて、
前記視覚的ガイド部は、少なくとも０．５インチ（１２．７ｍｍ）の長さを有することを特徴とするパター型ゴルフクラブヘッド。
【請求項１３】
請求項９に記載のパター型ゴルフクラブヘッドにおいて、
前記第１及び第２のガイド部は、１．６８インチ（４２．６７ｍｍ）より大きく４．２５インチ（１０７．９５ｍｍ）以下の間隔で離されていることを特徴とするパター型ゴルフクラブヘッド。
【請求項１４】
請求項９に記載のパター型ゴルフクラブヘッドにおいて、
前記バックウォール部は、前記複数のウェイトポートのうちの第１セットのウェイトポートと、前記複数のウェイトポートのうちの第２セットのウェイトポートとを有し、前記第１セットのウェイトポート及び前記第２セットのウェイトポートは、前記トップ部と前記ソール部との間に設けられ、前記第１セットのウェイトポートの各ウェイトポートは、前記ヒール部と前記トウ部との間に設けられ、前記第２セットのウェイトポートの各ウェイトポートは、前記ヒール部と前記トウ部との間に設けられることを特徴とするパター型ゴルフクラブヘッド。
【請求項１５】
請求項９に記載のパター型ゴルフクラブヘッドにおいて、
前記第３のガイド部は、前記複数のウェイトポートのうちの第３セットのウェイトポートで形成されたことを特徴とするパター型ゴルフクラブヘッド。
【請求項１６】
トウ部と、ヒール部と、リア部と、打撃面を持つフロント部と、ソール部と、複数のウェイトポートを有するトップ部とを有するボディ部であり、ゴルフクラブヘッドの周囲を画定する、前記ボディ部と、
前記複数のウェイトポートの各ウェイトポートに各々が配置される複数のウェイト部と、
前記打撃面でゴルフボールを打つ視覚的ガイドを提供するために前記フロント部と前記リア部との間に設けられた視覚的ガイド部であり、前記トウ部又はその近傍の前記周囲から０．５インチ（１２．７ｍｍ）未満に配置された前記複数のウェイトポートのうちの第１セットのウェイトポートで形成された第１のガイド部と、前記ヒール部又はその近傍の前記周囲から０．５インチ（１２．７ｍｍ）未満に配置された前記複数のウェイトポートのうちの第２セットのウェイトポートで形成された第２のガイド部とを含む、前記視覚的ガイド部と、
を備えたゴルフクラブヘッドであって、
前記複数のウェイトポートのうちの第３セットのウェイトポートと、前記複数のウェイトポートのうちの第４セットのウェイトポートがあり、前記第３セットのウェイトポート及び前記第４セットのウェイトポートは、前記トップ部と前記ソール部との間に設けられ、前記第３セットのウェイトポートの各ウェイトポートは、前記ヒール部と前記トウ部との間に設けられ、前記第４セットのウェイトポートの各ウェイトポートは、前記ヒール部と前記トウ部との間に設けられ、
前記複数のウェイトポートの各ウェイトポートは、ポート直径と関連しており、
前記複数のウェイトポートのうちの隣接するいずれか２つのウェイトポートは、前記ポート直径以下の間隔で離されていることを特徴とするゴルフクラブヘッド。
【請求項１７】
請求項１６に記載のゴルフクラブヘッドにおいて、
前記間隔は、前記ポート直径の５０％未満の間隔を有することを特徴とするゴルフクラブヘッド。
【請求項１８】
請求項１６に記載のゴルフクラブヘッドにおいて、
前記第１及び第２のガイド部は、前記フロント部と前記リア部との間の最大長の５０％未満の長さを有することを特徴とするゴルフクラブヘッド。
【請求項１９】
請求項１６に記載のゴルフクラブヘッドにおいて、
前記第１及び第２のガイド部は、１．６８インチ（４２．６７ｍｍ）より大きく４．２５インチ（１０７．９５ｍｍ）以下の間隔で離されていることを特徴とするゴルフクラブヘッド。
【請求項２０】
請求項１６に記載のゴルフクラブヘッドにおいて、
前記視覚的ガイド部は、前記フロント部と前記リア部との間に設けられた第３のガイド部を有し、前記第３のガイド部は、前記第１及び前記第２のガイド部から実質的に等距離に配置されていることを特徴とするゴルフクラブヘッド。
【国際調査報告】
2017511212.tif 000035